(57)【要約】【課題】貯湯タンク内の湯水の使用（給湯）がない状態が続くことによる発電の停止を回避する。【解決手段】貯湯タンク１内の下部の湯水の温度が上昇していて、このままだとシステム停止温度に達する虞がある場合に、運転制御手段１１の制御によりリモコン１２の報知手段（表示画面）が利用者に、所定時間内に給湯配管６からの給湯動作を行うことを促すので、利用者に貯湯タンク１内の湯水を使用させて、貯湯タンク１内の湯水の使用（給湯）がない状態が続いて貯湯タンク１内の下部の湯水の温度がシステム停止温度に達することによる発電の停止を回避するようにでき、発電停止の回避により効率的な運転を実行できる。【選択図】図１
2011174626.tif 000002
【特許請求の範囲】
【請求項１】
貯湯タンクと、前記貯湯タンク内下部の湯水の温度を検出するタンク下部湯水温度検出手段と、一端が前記貯湯タンク内下部に連通し他端が前記貯湯タンク内上部に連通し途中に燃料電池の発電時の排熱を回収する熱回収用熱交換器を有する熱回収配管と、前記貯湯タンク内上部の湯水を給湯する給湯配管と、前記貯湯タンク内下部に連通して前記貯湯タンク内の湯水を所定量に保つように給水する給水配管と、前記貯湯タンク内の湯水を前記貯湯タンク内下部から導入して前記貯湯タンク内上部に戻す方向に前記熱回収配管内の湯水を循環させる貯湯タンク循環ポンプと、報知手段を有するリモコンとを備え、前記タンク下部湯水温度検出手段の温度がシステム停止させる必要があるシステム停止温度より低い所定温度を超えた場合に前記報知手段が利用者に所定時間内に前記給湯配管からの給湯動作を行うことを促す燃料電池システム。
【請求項２】
貯湯タンクと、一端が前記貯湯タンク内下部に連通し他端が前記貯湯タンク内上部に連通し途中に燃料電池の発電時の排熱を回収する熱回収用熱交換器を有する熱回収配管と、前記貯湯タンク内上部の湯水を給湯する給湯配管と、前記貯湯タンク内下部に連通して前記貯湯タンク内の湯水を所定量に保つように給水する給水配管と、前記貯湯タンク内の湯水を前記貯湯タンク内下部から導入して前記貯湯タンク内上部に戻す方向に前記熱回収配管内の湯水を循環させる貯湯タンク循環ポンプと、前記給湯配管または前記給水配管の流量を検出する流量センサと、最近で前記流量センサが実質的流量なしを検出してからの経過時間を計測するタイマと、前記報知手段を有するリモコンとを備え、前記タイマが計測する経過時間が熱回収配管熱殺菌処理が必要となる時間より短い所定時間を超えた場合に前記報知手段が利用者に所定時間内に前記給湯配管からの給湯動作を行うことを促す燃料電池システム。
【請求項３】
貯湯タンクと、一端が前記貯湯タンク内下部に連通し他端が前記貯湯タンク内上部に連通し途中に燃料電池の発電時の排熱を回収する熱回収用熱交換器を有する熱回収配管と、前記貯湯タンク内上部の湯水を給湯する給湯配管と、前記貯湯タンク内下部に連通して前記貯湯タンク内の湯水を所定量に保つように給水する給水配管と、前記貯湯タンク内の湯水を前記貯湯タンク内下部から導入して前記貯湯タンク内上部に戻す方向に前記熱回収配管内の湯水を循環させる貯湯タンク循環ポンプと、前記貯湯タンク内の湯水または前記給湯配管内を流れる湯水を必要時に加熱するガス湯沸かし器と、前記報知手段を有するリモコンと、家庭で使用する燃料ガスの使用量を検知するガスメータと、前記燃料電池による燃料ガスの使用量を検知するガス流量センサとを備え、前記ガスメータが検知した燃料ガスの使用量が所定量以下の状態が１２時間より短い所定時間連続した場合に前記報知手段が利用者に所定時間内に家庭内のガス器具により燃料ガスを消費することを促す燃料電池システム。
【発明の詳細な説明】
【技術分野】
【０００１】
本発明は、発電を行うと共に発電に伴って発生する排熱を回収して給湯に利用する燃料電池システムに関する。
【背景技術】
【０００２】
燃料電池システム等のコージェネレーション装置は、発電手段を備えた発電系と、発電手段の発電に伴って発生する排熱を回収して蓄熱すると共に、この熱を有効出力熱エネルギーとして利用する排熱利用系と、蓄熱量の満量に伴う装置の停止を回避するために排熱利用系における有効出力熱エネルギーの利用促進を行う排熱利用促進系から構成されている。
【０００３】
排熱利用促進系は、基準パターンと現在の運転状態とを比較し運転継続可能時間を算出することにより運転停止の予測を行う停止予測機能と、得られた停止予測情報に応じて運転停止を画像や音によりユーザに予告する（例えば、特許文献１参照）。
【先行技術文献】
【特許文献】
【０００４】
【特許文献１】特開２００５−１１４３４４号公報
【発明の概要】
【発明が解決しようとする課題】
【０００５】
燃料電池システムにおいては、貯湯タンク内の湯水の使用（給湯）がない状態が続いて所定条件を満たすと発電を停止させる必要があり、また、家庭で燃料ガスの使用量が所定量以下の状態が１２時間続く場合にガス漏れ対応で発電を停止または出力を低下させる必要がある。
【０００６】
本発明は、上記従来の課題に鑑み、貯湯タンク内の湯水の使用（給湯）がない状態が続くことによる発電の停止、または、家庭で燃料ガスの使用量が所定量以下の状態が続くことによる発電の停止や発電出力の低下を回避するようにできる燃料電池システムを提供することを目的としている。
【課題を解決するための手段】
【０００７】
上記目的を達成するために、第１の本発明の燃料電池システムは、貯湯タンクと、前記貯湯タンク内下部の湯水の温度を検出するタンク下部湯水温度検出手段と、一端が前記貯湯タンク内下部に連通し他端が前記貯湯タンク内上部に連通し途中に燃料電池の発電時の排熱を回収する熱回収用熱交換器を有する熱回収配管と、前記貯湯タンク内上部の湯水を給湯する給湯配管と、前記貯湯タンク内下部に連通して前記貯湯タンク内の湯水を所定量に保つように給水する給水配管と、前記貯湯タンク内の湯水を前記貯湯タンク内下部から導入して前記貯湯タンク内上部に戻す方向に前記熱回収配管内の湯水を循環させる貯湯タンク循環ポンプと、報知手段を有するリモコンとを備え、前記タンク下部湯水温度検出手段の温度がシステム停止させる必要があるシステム停止温度より低い所定温度を超えた場合に前記報知手段が利用者に所定時間内に前記給湯配管からの給湯動作を行うことを促すように構成されている。
【０００８】
上記構成において、貯湯タンク内の湯水の使用（給湯）が少なく、貯湯タンク内の下部の湯水の温度が上昇し、そのため、燃料電池の放熱効率が悪くなり、このまま、貯湯タンク内の湯水の使用（給湯）がなければ、まもなく貯湯タンク内の下部の湯水の温度が上昇してシステム停止させる必要があるシステム停止温度に達してシステムが停止するような場合に、報知手段が利用者に、所定時間内に給湯配管からの給湯動作を行うことを促すので、所定時間内に利用者が、給湯配管から給湯動作を行う可能性が高くなり、所定時間内に利用者が、給湯配管から給湯動作を行えば、貯湯タンク内の湯水が減った分だけ、貯湯タンク内下部に給水が行われて、貯湯タンク内の下部の湯水の温度が低下するので、発電の停止を回避できる。
【０００９】
したがって、貯湯タンク内の湯水の使用（給湯）がない状態が続くことによる発電の停止を回避するようにできる。
【００１０】
また、第２の本発明の燃料電池システムは、貯湯タンクと、一端が前記貯湯タンク内下部に連通し他端が前記貯湯タンク内上部に連通し途中に燃料電池の発電時の排熱を回収する熱回収用熱交換器を有する熱回収配管と、前記貯湯タンク内上部の湯水を給湯する給湯配管と、前記貯湯タンク内下部に連通して前記貯湯タンク内の湯水を所定量に保つように給水する給水配管と、前記貯湯タンク内の湯水を前記貯湯タンク内下部から導入して前記貯湯タンク内上部に戻す方向に前記熱回収配管内の湯水を循環させる貯湯タンク循環ポンプと、前記給湯配管または前記給水配管の流量を検出する流量センサと、最近で前記流量センサが実質的流量なしを検出してからの経過時間を計測するタイマと、前記報知手段を有するリモコンとを備え、前記タイマが計測する経過時間が熱回収配管熱殺菌処理が必要となる時間より短い所定時間を超えた場合に前記報知手段が利用者に所定時間内に前記給湯配管からの給湯動作を行うことを促すように構成されている。
【００１１】
上記構成において、貯湯タンク内の湯水の使用（給湯）がない状態が続いていて、こののまま貯湯タンク内の湯水の使用（給湯）がない状態が続けば、まもなく熱回収配管の熱殺菌処理のためにシステムが停止するような場合に、報知手段が利用者に、所定時間内に給湯配管からの給湯動作を行うことを促すので、所定時間内に利用者が、給湯配管から給湯動作を行う可能性が高くなり、所定時間内に利用者が、給湯配管から給湯動作を行えば、最近で給湯配管または給水配管の実質的流量なしを流量センサにより検出してからの経過時間を計測するタイマがリセットされて、熱回収配管の熱殺菌処理の開始が次に熱回収配管熱殺菌処理の条件を満たすまで先延ばしになるので、発電の停止を回避できる。
【００１２】
したがって、貯湯タンク内の湯水の使用（給湯）がない状態が続くことによる発電の停止を回避するようにできる。
【００１３】
また、第３の本発明の燃料電池システムは、貯湯タンクと、一端が前記貯湯タンク内下部に連通し他端が前記貯湯タンク内上部に連通し途中に燃料電池の発電時の排熱を回収する熱回収用熱交換器を有する熱回収配管と、前記貯湯タンク内上部の湯水を給湯する給湯配管と、前記貯湯タンク内下部に連通して前記貯湯タンク内の湯水を所定量に保つように給水する給水配管と、前記貯湯タンク内の湯水を前記貯湯タンク内下部から導入して前記貯湯タンク内上部に戻す方向に前記熱回収配管内の湯水を循環させる貯湯タンク循環ポンプと、前記貯湯タンク内の湯水または前記給湯配管内を流れる湯水を必要時に加熱するガス湯沸かし器と、前記報知手段を有するリモコンと、家庭で使用する燃料ガスの使用量を検知するガスメータと、前記燃料電池による燃料ガスの使用量を検知するガス流量センサとを備え、前記ガスメータが検知した燃料ガスの使用量が所定量以下の状態が１２時間より短い所定時間連続した場合に前記報知手段が利用者に所定時間内に家庭内のガス器具により燃料ガスを消費することを促すように構成されている。
【００１４】
上記構成において、家庭で燃料ガスの使用量が所定量以下の状態が続いていて、このまま家庭で燃料ガスの使用量が所定量以下の状態が続けば、家庭で燃料ガスの使用量が所定量以下の状態が１２時間に達してガス漏れ対応の動作が行われて発電を停止または出力を低下させなければならないような場合に、報知手段が利用者に、所定時間内に家庭内のガス器具により燃料ガスを消費することを促すので、所定時間内に利用者が、家庭内のガス器具により燃料ガスを消費する可能性が高くなり、所定時間内に利用者が、家庭内のガス器具により燃料ガスを消費すれば、家庭で燃料ガスの使用量が所定量以下の状態が途切れて、ガス漏れ対応の動作の開始が次にガス漏れ対応の条件を満たすまで先延ばしになるので、発電の停止または出力の低下を回避できる。
【００１５】
したがって、家庭で燃料ガスの使用量が所定量以下の状態が続くことによる発電の停止や出力の低下を回避するようにできる。
【発明の効果】
【００１６】
本発明によれば、貯湯タンク内の下部の湯水の温度が上昇していて、このままだとシステム停止温度に達する虞がある場合、または、貯湯タンク内の湯水の使用（給湯）がない状態が続いていて、このままだと熱回収配管の熱殺菌処理の条件を満たす虞がある場合に、報知手段が利用者に、所定時間内に給湯配管からの給湯動作を行うことを促すので、利用者に貯湯タンク内の湯水を使用させて、貯湯タンク内の湯水の使用（給湯）がない状態が続くことによる発電の停止を回避するようにでき、発電停止の回避により効率的な運転を実行できる。
【００１７】
また、家庭で燃料ガスの使用量が所定量以下の状態が続いていて、このままだとガス漏れ対応の条件を満たす虞がある場合に、報知手段が利用者に所定時間内に家庭内のガス器具により燃料ガスを消費することを促すので、利用者に家庭内のガス器具で燃料ガスを消費させて、家庭で燃料ガスの使用量が所定量以下の状態が続くことによる発電の停止や出力の低下を回避するようにでき、発電の停止または出力の低下の回避により効率的な運転を実行できる。
【図面の簡単な説明】
【００１８】
【図１】本発明の実施の形態１における燃料電池システムの概略構成図
【図２】同実施の形態の燃料電池システムにおける利用者に特定の行動を促す手順を示すフローチャート
【図３】同実施の形態の燃料電池システムにおける利用者に特定の行動を促すリモコンの画面を示す説明図
【図４】本発明の実施の形態２の燃料電池システムにおける利用者に特定の行動を促す手順を示すフローチャート
【図５】同実施の形態の燃料電池システムにおける利用者に特定の行動を促すリモコンの画面を示す説明図
【図６】本発明の実施の形態１における燃料電池システムの概略構成図
【図７】同実施の形態の燃料電池システムにおける利用者に特定の行動を促す手順を示すフローチャート
【図８】同実施の形態の燃料電池システムにおける利用者に特定の行動を促すリモコンの画面を示す説明図
【発明を実施するための形態】
【００１９】
第１の発明は、貯湯タンクと、前記貯湯タンク内下部の湯水の温度を検出するタンク下部湯水温度検出手段と、一端が前記貯湯タンク内下部に連通し他端が前記貯湯タンク内上部に連通し途中に燃料電池の発電時の排熱を回収する熱回収用熱交換器を有する熱回収配管と、前記貯湯タンク内上部の湯水を給湯する給湯配管と、前記貯湯タンク内下部に連通して前記貯湯タンク内の湯水を所定量に保つように給水する給水配管と、前記貯湯タンク内の湯水を前記貯湯タンク内下部から導入して前記貯湯タンク内上部に戻す方向に前記熱回収配管内の湯水を循環させる貯湯タンク循環ポンプと、報知手段を有するリモコンとを備え、前記タンク下部湯水温度検出手段の温度がシステム停止させる必要があるシステム停止温度より低い所定温度を超えた場合に前記報知手段が利用者に所定時間内に前記給湯配管からの給湯動作を行うことを促す燃料電池システムである。
【００２０】
上記構成において、貯湯タンク内の湯水の使用（給湯）が少なく、貯湯タンク内の下部の湯水の温度が上昇し、そのため、燃料電池の放熱効率が悪くなり、このまま、貯湯タンク内の湯水の使用（給湯）がなければ、まもなく貯湯タンク内の下部の湯水の温度が上昇してシステム停止させる必要があるシステム停止温度に達してシステムが停止するような場合に、報知手段が利用者に、所定時間内に給湯配管からの給湯動作を行うことを促すので、所定時間内に利用者が、給湯配管から給湯動作を行う可能性が高くなり、所定時間内に利用者が、給湯配管から給湯動作を行えば、貯湯タンク内の湯水が減った分だけ、貯湯タンク内下部に給水が行われて、貯湯タンク内の下部の湯水の温度が低下するので、発電の停止を回避できる。
【００２１】
したがって、貯湯タンク内の下部の湯水の温度が上昇していて、このままだとシステム停止温度に達する虞がある場合に、報知手段が利用者に、所定時間内に給湯配管からの給湯動作を行うことを促すので、利用者に貯湯タンク内の湯水を使用させて、貯湯タンク内の湯水の使用（給湯）がない状態が続いて貯湯タンク内の下部の湯水の温度がシステム停止温度に達することによる発電の停止を回避するようにでき、発電停止の回避により効率的な運転を実行できる。
【００２２】
第２の発明は、貯湯タンクと、一端が前記貯湯タンク内下部に連通し他端が前記貯湯タンク内上部に連通し途中に燃料電池の発電時の排熱を回収する熱回収用熱交換器を有する熱回収配管と、前記貯湯タンク内上部の湯水を給湯する給湯配管と、前記貯湯タンク内下部に連通して前記貯湯タンク内の湯水を所定量に保つように給水する給水配管と、前記貯湯タンク内の湯水を前記貯湯タンク内下部から導入して前記貯湯タンク内上部に戻す方向に前記熱回収配管内の湯水を循環させる貯湯タンク循環ポンプと、前記給湯配管または前記給水配管の流量を検出する流量センサと、最近で前記流量センサが実質的流量なしを検出してからの経過時間を計測するタイマと、前記報知手段を有するリモコンとを備え、前記タイマが計測する経過時間が熱回収配管熱殺菌処理が必要となる時間より短い所定時間を超えた場合に前記報知手段が利用者に所定時間内に前記給湯配管からの給湯動作を行うことを促す燃料電池システムである。
【００２３】
上記構成において、貯湯タンク内の湯水の使用（給湯）がない状態が続いていて、こののまま貯湯タンク内の湯水の使用（給湯）がない状態が続けば、まもなく熱回収配管の熱殺菌処理のためにシステムが停止するような場合に、報知手段が利用者に、所定時間内に給湯配管からの給湯動作を行うことを促すので、所定時間内に利用者が、給湯配管から給湯動作を行う可能性が高くなり、所定時間内に利用者が、給湯配管から給湯動作を行えば、最近で給湯配管または給水配管の実質的流量なしを流量センサにより検出してからの経過時間を計測するタイマがリセットされて、熱回収配管の熱殺菌処理の開始が次に熱回収配管熱殺菌処理の条件を満たすまで先延ばしになるので、発電の停止を回避できる。
【００２４】
したがって、貯湯タンク内の湯水の使用（給湯）がない状態が続いていて、このままだと熱回収配管の熱殺菌処理の条件を満たす虞がある場合に、報知手段が利用者に、所定時間内に給湯配管からの給湯動作を行うことを促すので、利用者に貯湯タンク内の湯水を使用させて、貯湯タンク内の湯水の使用（給湯）がない状態が熱回収配管熱殺菌処理が必要となる時間続くことによる熱回収配管熱殺菌処理で発電の停止を回避するようにでき、発電停止の回避により効率的な運転を実行できる。
【００２５】
第３の発明は、貯湯タンクと、一端が前記貯湯タンク内下部に連通し他端が前記貯湯タンク内上部に連通し途中に燃料電池の発電時の排熱を回収する熱回収用熱交換器を有する熱回収配管と、前記貯湯タンク内上部の湯水を給湯する給湯配管と、前記貯湯タンク内下部に連通して前記貯湯タンク内の湯水を所定量に保つように給水する給水配管と、前記貯湯タンク内の湯水を前記貯湯タンク内下部から導入して前記貯湯タンク内上部に戻す方向に前記熱回収配管内の湯水を循環させる貯湯タンク循環ポンプと、前記貯湯タンク内の湯水または前記給湯配管内を流れる湯水を必要時に加熱するガス湯沸かし器と、前記報知手段を有するリモコンと、家庭で使用する燃料ガスの使用量を検知するガスメータと、前記燃料電池による燃料ガスの使用量を検知するガス流量センサとを備え、前記ガスメータが検知した燃料ガスの使用量が所定量以下の状態が１２時間より短い所定時間連続した場合に前記報知手段が利用者に所定時間内に家庭内のガス器具により燃料ガスを消費することを促す燃料電池システムである。
【００２６】
上記構成において、家庭で燃料ガスの使用量が所定量以下の状態が続いていて、このまま家庭で燃料ガスの使用量が所定量以下の状態が続けば、家庭で燃料ガスの使用量が所定量以下の状態が１２時間に達してガス漏れ対応の動作が行われて発電の出力を低下させなければならないような場合に、報知手段が利用者に、所定時間内に家庭内のガス器具により燃料ガスを消費することを促すので、所定時間内に利用者が、家庭内のガス器具により燃料ガスを消費する可能性が高くなり、所定時間内に利用者が、家庭内のガス器具により燃料ガスを消費すれば、家庭で燃料ガスの使用量が所定量以下の状態が途切れて、ガス漏れ対応の動作の開始が次にガス漏れ対応の条件を満たすまで先延ばしになるので、発電の停止や出力の低下を回避できる。
【００２７】
したがって、家庭で燃料ガスの使用量が所定量以下の状態が続いていて、このままだとガス漏れ対応の条件を満たす虞がある場合に、報知手段が利用者に所定時間内に家庭内のガス器具により燃料ガスを消費することを促すので、利用者に家庭内のガス器具で燃料ガスを消費させて、家庭で燃料ガスの使用量が所定量以下の状態が１２時間続くことによるガス漏れ対応で発電の停止や出力の低下を回避するようにでき、発電の停止や出力の低下の回避により効率的な運転を実行できる。
【００２８】
以下に、本発明の燃料電池システムの実施の形態について、図面を参照して説明する。なお、この実施の形態によって本発明が限定されるものではない。
【００２９】
（実施の形態１）
図１は、本発明の実施の形態１における燃料電池システムの概略構成図である。図２は、同実施の形態の燃料電池システムにおける利用者に特定の行動を促す手順を示すフローチャートである。図３は、同実施の形態の燃料電池システムにおける利用者に特定の行動を促すリモコンの画面を示す説明図である。
【００３０】
図１に示すように本実施の形態の燃料電池システムは、貯湯タンク１と、貯湯タンク１内下部の湯水の温度を検出するタンク下部湯水温度検出手段１３と、一端が貯湯タンク１内下部に連通し他端が貯湯タンク１内上部に連通し途中に燃料電池４の発電時の排熱を回収する熱回収用熱交換器１０を有する熱回収配管２と、貯湯タンク１内上部の湯水を給湯する給湯配管６と、貯湯タンク１内下部に連通して貯湯タンク１内の湯水を所定量に保つように給水する給水配管５と、貯湯タンク１内の湯水を貯湯タンク１内下部から導入して貯湯タンク１内上部に戻す方向に熱回収配管２内の湯水を循環させる貯湯タンク循環ポンプ３と、報知手段（表示画面）を有するリモコン１２と、給湯配管６に設けられた機器使用検出手段７と、給湯配管６と給水配管５とを接続する分岐配管８と、給湯配管６の流量を検出する流量センサ９と、貯湯タンク循環ポンプ３とタンク下部湯水温度検出手段１３とリモコン１２と機器使用検出手段７と流量センサ９とに接続され最近で流量センサ９が実質的流量なしを検出してからの経過時間を計測するタイマを有し貯湯タンク循環ポンプ３とリモコン１２の報知手段（表示画面）を制御する運転制御手段１１とを備え、タンク下部湯水温度検出手段１３の温度がシステム停止させる必要があるシステム停止温度より低い所定温度を超えた場合に運転制御手段１１の制御によりリモコン１２の報知手段（表示画面）が利用者に図３に示すように所定時間内に給湯配管６からの給湯動作を行うことを促すように構成されている。
【００３１】
以上のように構成された本実施の形態の燃料電池システムについて、図１から図３を参照しながら利用者に特定の行動を促す手順を説明する。
【００３２】
タンク下部の湯水温度検出手段１３がタンク下部の水温が一定値Ａを超えたと判断すると（Ｓ１０１をＹｅｓ側に分岐）、運転制御手段１１は、リモコン１２に図３に示すような利用者に発電を継続できるようお湯を使うことを促す画面を表示する、または音声で案内するように信号を送る（Ｓ１０２）。利用者が給湯配管６から湯を使用して、給水配管５から給水され貯湯タンク１の下部から貯湯タンク１に給水された結果、タンク下部湯水温度検出手段１３によりタンク下部の水温が一定値Ｂから下がったことを検知すると（Ｓ１０１をＮｏして次のＳ１０３をＹｅｓ側に分岐）、運転制御手段１１がリモコン１２に表示していた図３の画面を止めるよう信号を送る（Ｓ１０４）。これにより貯湯タンク１がお湯で一杯になることを防ぎ発電を継続することができる。
【００３３】
以上のように本実施の形態の燃料電池システムは、貯湯タンク１と、貯湯タンク１内下部の湯水の温度を検出するタンク下部湯水温度検出手段１３と、一端が貯湯タンク１内下部に連通し他端が貯湯タンク１内上部に連通し途中に燃料電池４の発電時の排熱を回収する熱回収用熱交換器１０を有する熱回収配管２と、貯湯タンク１内上部の湯水を給湯する給湯配管６と、貯湯タンク１内下部に連通して貯湯タンク１内の湯水を所定量に保つように給水する給水配管５と、貯湯タンク１内の湯水を貯湯タンク１内下部から導入して貯湯タンク１内上部に戻す方向に熱回収配管２内の湯水を循環させる貯湯タンク循環ポンプ３と、報知手段（表示画面）を有するリモコン１２と、給湯配管６に設けられた機器使用検出手段７と、給湯配管６と給水配管５とを接続する分岐配管８と、給湯配管６の流量を検出する流量センサ９と、貯湯タンク循環ポンプ３とタンク下部湯水温度検出手段１３とリモコン１２と機器使用検出手段７と流量センサ９とに接続され貯湯タンク循環ポンプ３とリモコン１２の報知手段（表示画面）を制御する運転制御手段１１とを備え、タンク下部湯水温度検出手段１３の温度がシステム停止させる必要があるシステム停止温度より低い所定温度Ａを超えた場合に運転制御手段１１の制御によりリモコン１２の報知手段（表示画面）が図３に示すように利用者に所定時間内に給湯配管６からの給湯動作を行うことを促す燃料電池システムである。
【００３４】
上記構成において、貯湯タンク１内の湯水の使用（給湯）が少なく、貯湯タンク１内の下部の湯水の温度が上昇し、そのため、燃料電池４の放熱効率が悪くなり、このまま、貯湯タンク１内の湯水の使用（給湯）がなければ、まもなく貯湯タンク１内の下部の湯水の温度が上昇してシステム停止させる必要があるシステム停止温度に達してシステムが停止するような場合に、運転制御手段１１の制御によりリモコン１２の報知手段（表示画面）が利用者に、図３に示すように所定時間内に給湯配管６からの給湯動作を行うことを促すので、所定時間内に利用者が、給湯配管６から給湯動作を行う可能性が高くなり、所定時間内に利用者が、給湯配管６から給湯動作を行えば、貯湯タンク１内の湯水が減った分だけ、貯湯タンク１内下部に給水配管５から給水が行われて、貯湯タンク１内の下部の湯水の温度が低下するので、発電の停止を回避できる。
【００３５】
したがって、貯湯タンク１内の下部の湯水の温度が上昇していて、このままだとシステム停止温度に達する虞がある場合に、運転制御手段１１の制御によりリモコン１２の報知手段（表示画面）が利用者に、図３に示すように所定時間内に給湯配管６からの給湯動作を行うことを促すので、利用者に貯湯タンク１内の湯水を使用させて、貯湯タンク１内の湯水の使用（給湯）がない状態が続いて貯湯タンク１内の下部の湯水の温度がシステム停止温度に達することによる発電の停止を回避するようにでき、発電停止の回避により効率的な運転を実行できる。
【００３６】
（実施の形態２）
図４は、本発明の実施の形態２の燃料電池システムにおける利用者に特定の行動を促す手順を示すフローチャートである。図３は、同実施の形態の燃料電池システムにおける利用者に特定の行動を促すリモコンの画面を示す説明図である。本実施の実施の形態１における燃料電池システムの概略構成図は、図１に示す実施の形態１における燃料電池システムの概略構成図と同じである。
【００３７】
図１に示すように本実施の形態の燃料電池システムは、貯湯タンク１と、貯湯タンク１内下部の湯水の温度を検出するタンク下部湯水温度検出手段１３と、一端が貯湯タンク１内下部に連通し他端が貯湯タンク１内上部に連通し途中に燃料電池４の発電時の排熱を回収する熱回収用熱交換器１０を有する熱回収配管２と、貯湯タンク１内上部の湯水を給湯する給湯配管６と、貯湯タンク１内下部に連通して貯湯タンク１内の湯水を所定量に保つように給水する給水配管５と、貯湯タンク１内の湯水を貯湯タンク１内下部から導入して貯湯タンク１内上部に戻す方向に熱回収配管２内の湯水を循環させる貯湯タンク循環ポンプ３と、報知手段（表示画面）を有するリモコン１２と、給湯配管６に設けられた機器使用検出手段７と、給湯配管６と給水配管５とを接続する分岐配管８と、給湯配管６の流量を検出する流量センサ９と、貯湯タンク循環ポンプ３とタンク下部湯水温度検出手段１３とリモコン１２と機器使用検出手段７と流量センサ９とに接続され最近で流量センサ９が実質的流量なし（一定量Ｄ未満）を検出してからの経過時間を計測するタイマを有し貯湯タンク循環ポンプ３とリモコン１２の報知手段（表示画面）を制御する運転制御手段１１とを備え、運転制御手段１１のタイマが計測する経過時間が熱回収配管熱殺菌処理が必要となる時間より短い所定時間Ｃを超えた場合に運転制御手段１１の制御によりリモコン１２の報知手段（表示画面）が利用者に図５に示すように所定時間内に給湯配管６からの給湯動作を行うことを促すように構成されている。
【００３８】
以上のように構成された本実施の形態の燃料電池システムについて、図１、図４、図５を参照しながら利用者に特定の行動を促す手順を説明する。
【００３９】
運転制御手段１１が流量センサ９と運転制御手段１１に内蔵するタイマから一定期間Ｃ一定量Ｄの給湯が無いと判断すると（Ｓ２０１をＹｅｓ側に分岐）、運転制御手段１１は、リモコン１２に図５に示すような画面を表示するように信号を送る（Ｓ２０２）。利用者が給湯配管６から湯を一定量Ｄ使用したことを判断すると（Ｓ２０１をＮｏ側に分岐）、図５に示すメッセージＱが表示されている場合には（Ｓ２０３をＹｅｓ側に分岐）、運転制御手段１１がリモコン１２に表示していた図５の画面を止めるよう信号を送る（Ｓ２０４）。これによりレジオネラ族菌への対応動作を回避することができるので予定通りの発電を実施することができる。
【００４０】
以上のように本実施の形態の燃料電池システムは、貯湯タンク１と、貯湯タンク１内下部の湯水の温度を検出するタンク下部湯水温度検出手段１３と、一端が貯湯タンク１内下部に連通し他端が貯湯タンク１内上部に連通し途中に燃料電池４の発電時の排熱を回収する熱回収用熱交換器１０を有する熱回収配管２と、貯湯タンク１内上部の湯水を給湯する給湯配管６と、貯湯タンク１内下部に連通して貯湯タンク１内の湯水を所定量に保つように給水する給水配管５と、貯湯タンク１内の湯水を貯湯タンク１内下部から導入して貯湯タンク１内上部に戻す方向に熱回収配管２内の湯水を循環させる貯湯タンク循環ポンプ３と、報知手段（表示画面）を有するリモコン１２と、給湯配管６に設けられた機器使用検出手段７と、給湯配管６と給水配管５とを接続する分岐配管８と、給湯配管６の流量を検出する流量センサ９と、貯湯タンク循環ポンプ３とタンク下部湯水温度検出手段１３とリモコン１２と機器使用検出手段７と流量センサ９とに接続され最近で流量センサ９が実質的流量なし（一定量Ｄ未満）を検出してからの経過時間を計測するタイマを有し貯湯タンク循環ポンプ３とリモコン１２の報知手段（表示画面）を制御する運転制御手段１１とを備え、運転制御手段１１のタイマが計測する経過時間が熱回収配管熱殺菌処理が必要となる時間より短い所定時間Ｃを超えた場合に運転制御手段１１の制御によりリモコン１２の報知手段（表示画面）が利用者に図５に示すように所定時間内に給湯配管６からの給湯動作を行うことを促す燃料電池システムである。
【００４１】
上記構成において、貯湯タンク１内の湯水の使用（給湯）がない状態が続いていて、こののまま貯湯タンク１内の湯水の使用（給湯）がない状態が続けば、まもなく熱回収配管２の熱殺菌処理のためにシステムが停止するような場合に、運転制御手段１１の制御によりリモコン１２の報知手段（表示画面）が利用者に図５に示すように、所定時間内に給湯配管６からの給湯動作を行うことを促すので、所定時間内に利用者が、給湯配管６から給湯動作を行う可能性が高くなり、所定時間内に利用者が、給湯配管６から給湯動作を行えば、最近で給湯配管６の実質的流量なし（一定量Ｄ未満）を流量センサ９により検出してからの経過時間を計測する運転制御手段１１のタイマがリセットされて、熱回収配管２の熱殺菌処理の開始が次に熱回収配管熱殺菌処理の条件を満たすまで先延ばしになるので、発電の停止を回避できる。
【００４２】
したがって、貯湯タンク１内の湯水の使用（給湯）がない状態が続いていて、このままだと熱回収配管２の熱殺菌処理の条件を満たす虞がある場合に、運転制御手段１１の制御によりリモコン１２の報知手段（表示画面）が利用者に、図５に示すように所定時間内に給湯配管６からの給湯動作を行うことを促すので、利用者に貯湯タンク１内の湯水を使用させて、貯湯タンク１内の湯水の使用（給湯）がない状態が熱回収配管熱殺菌処理が必要となる時間続くことによる熱回収配管熱殺菌処理で発電の停止を回避するようにでき、発電停止の回避により効率的な運転を実行できる。
【００４３】
（実施の形態３）
図６は、本発明の実施の形態３における燃料電池システムの概略構成図である。図７は、同実施の形態の燃料電池システムにおける利用者に特定の行動を促す手順を示すフローチャートである。図８は、同実施の形態の燃料電池システムにおける利用者に特定の行動を促すリモコンの画面を示す説明図である。なお、本実施の形態において、実施の形態１または実施の形態２と同一構成については同一符号を付してある。
【００４４】
図６に示すように本実施の形態の燃料電池システムは、貯湯タンク１と、貯湯タンク１内下部の湯水の温度を検出するタンク下部湯水温度検出手段１３と、一端が貯湯タンク１内下部に連通し他端が貯湯タンク１内上部に連通し途中に燃料電池４の発電時の排熱を回収する熱回収用熱交換器１０を有する熱回収配管２と、貯湯タンク１内上部の湯水を給湯する給湯配管６と、貯湯タンク１内下部に連通して貯湯タンク１内の湯水を所定量に保つように給水する給水配管５と、貯湯タンク１内の湯水を貯湯タンク１内下部から導入して貯湯タンク１内上部に戻す方向に熱回収配管２内の湯水を循環させる貯湯タンク循環ポンプ３と、報知手段（表示画面）を有するリモコン１２と、給湯配管６に設けられた機器使用検出手段７と、給湯配管６と給水配管５とを接続する分岐配管８と、給湯配管６の流量を検出する流量センサ９と、分岐配管８内を流れる湯水を必要時に加熱するガス湯沸かし器１４と、燃料電池４及びガス湯沸かし器１４にガスを供給するガス管１５と、ガス管１５に設けられ家庭で使用する燃料ガスの使用量を検知するガスメータ１６と、燃料電池４による燃料ガスの使用量を検知するガス流量センサ１７と、貯湯タンク循環ポンプ３とタンク下部湯水温度検出手段１３とリモコン１２と機器使用検出手段７と流量センサ９とガスメータ１６とに接続されガスメータ１６が検知した燃料ガスの使用量が所定量以下の状態が継続している時間を計測するタイマを有し貯湯タンク循環ポンプ３とリモコン１２の報知手段（表示画面）を制御する運転制御手段１１とを備え、ガスメータ１６が検知した燃料ガスの使用量が所定量以下の状態が１２時間より短い所定時間連続した場合に運転制御手段１１の制御によりリモコン１２の報知手段（表示画面）が利用者に図８に示すように所定時間内に家庭内のガス器具により燃料ガスを消費することを促すように構成されている。
【００４５】
以上のように構成された本実施の形態の燃料電池システムについて、図６から図８を参照しながら利用者に特定の行動を促す手順を説明する。
【００４６】
運転制御手段１１が、ガス流量センサ１７または貯湯タンク循環ポンプ３と運転制御手段１１に内蔵するタイマから一定期間Ｅで燃料電池４の運転が継続していることを判断すると（Ｓ３０１をＹｅｓ側に分岐）、ガス流量が一定量Ｆ以上に増えたかを判断し、ガス流量が増えていなければ（Ｓ３０２をＮｏ側に分岐）、運転制御手段１１は、リモコン１２に図８に示すような画面を表示するように信号を送る（Ｓ３０３）。利用者が所定の行動を取りガス流量センサ１７からガスを一定量Ｆ使用したことを判断すると（Ｓ３０２をＹｅｓ側に分岐）、運転制御手段１１がリモコン１２に表示していた図８の画面を止めるよう信号を送る（Ｓ３０４）。これによりガス漏れ対応の動作を回避することができるので予定通りの発電量で発電を継続することができる。
【００４７】
以上のように本実施の形態の燃料電池システムは、貯湯タンク１と、貯湯タンク１内下部の湯水の温度を検出するタンク下部湯水温度検出手段１３と、一端が貯湯タンク１内下部に連通し他端が貯湯タンク１内上部に連通し途中に燃料電池４の発電時の排熱を回収する熱回収用熱交換器１０を有する熱回収配管２と、貯湯タンク１内上部の湯水を給湯する給湯配管６と、貯湯タンク１内下部に連通して貯湯タンク１内の湯水を所定量に保つように給水する給水配管５と、貯湯タンク１内の湯水を貯湯タンク１内下部から導入して貯湯タンク１内上部に戻す方向に熱回収配管２内の湯水を循環させる貯湯タンク循環ポンプ３と、報知手段（表示画面）を有するリモコン１２と、給湯配管６に設けられた機器使用検出手段７と、給湯配管６と給水配管５とを接続する分岐配管８と、給湯配管６の流量を検出する流量センサ９と、分岐配管８内を流れる湯水を必要時に加熱するガス湯沸かし器１４と、燃料電池４及びガス湯沸かし器１４にガスを供給するガス管１５と、ガス管１５に設けられ家庭で使用する燃料ガスの使用量を検知するガスメータ１６と、燃料電池４による燃料ガスの使用量を検知するガス流量センサ１７と、貯湯タンク循環ポンプ３とタンク下部湯水温度検出手段１３とリモコン１２と機器使用検出手段７と流量センサ９とガスメータ１６とに接続されガスメータ１６が検知した燃料ガスの使用量が所定量以下の状態が継続している時間を計測するタイマを有し貯湯タンク循環ポンプ３とリモコン１２の報知手段（表示画面）を制御する運転制御手段１１とを備え、ガスメータ１６が検知した燃料ガスの使用量が所定量以下の状態が１２時間より短い所定時間連続した場合に運転制御手段１１の制御によりリモコン１２の報知手段（表示画面）が利用者に図８に示すように所定時間内に家庭内のガス器具により燃料ガスを消費することを促す燃料電池システムである。
【００４８】
上記構成において、家庭で燃料ガスの使用量が所定量以下の状態が続いていて、このまま家庭で燃料ガスの使用量が所定量以下の状態が続けば、家庭で燃料ガスの使用量が所定量以下の状態が１２時間に達してガス漏れ対応の動作が行われて発電の出力を低下させなければならないような場合に、運転制御手段１１の制御によりリモコン１２の報知手段（表示画面）が利用者に図８に示すように所定時間内に家庭内のガス器具により燃料ガスを消費することを促すので、所定時間内に利用者が、家庭内のガス器具により燃料ガスを消費する可能性が高くなり、所定時間内に利用者が、家庭内のガス器具により燃料ガスを消費すれば、家庭で燃料ガスの使用量が所定量以下の状態が途切れて、ガス漏れ対応の動作の開始が次にガス漏れ対応の条件を満たすまで先延ばしになるので、発電の停止や出力の低下を回避できる。
【００４９】
したがって、家庭で燃料ガスの使用量が所定量以下の状態が続いていて、このままだとガス漏れ対応の条件を満たす虞がある場合に、運転制御手段１１の制御によりリモコン１２の報知手段（表示画面）が利用者に図８に示すように所定時間内に家庭内のガス器具により燃料ガスを消費することを促すので、利用者に家庭内のガス器具で燃料ガスを消費させて、家庭で燃料ガスの使用量が所定量以下の状態が１２時間続くことによるガス漏れ対応で発電の停止や出力の低下を回避するようにでき、発電の停止や出力の低下の回避により効率的な運転を実行できる。
【産業上の利用可能性】
【００５０】
本発明は、貯湯タンク内の湯水の使用（給湯）がない状態が続くことによる発電の停止、または、家庭で燃料ガスの使用量が所定量以下の状態が続くことによる発電の停止や発電出力の低下を回避するようにできるので、家庭用の燃料電池システムに適している。
【符号の説明】
【００５１】
１  貯湯タンク
２  熱回収配管
３  貯湯タンク循環ポンプ
４  燃料電池
５  給水配管
６  給湯配管
７  機器使用検出手段
９  流量センサ
１０  熱回収用熱交換器
１１  運転制御手段
１２  リモコン
１３  タンク下部湯水温度検出手段
１４  ガス湯沸かし器
１５  ガス管
１６  ガスメータ
１７  ガス流量センサ
【図１】
2011174626.tif 000003
【図２】
2011174626.tif 000004
【図３】
2011174626.tif 000005
【図４】
2011174626.tif 000006
【図５】
2011174626.tif 000007
【図６】
2011174626.tif 000008
【図７】
2011174626.tif 000009
【図８】
2011174626.tif 000010